(57)【要約】【課題】ＡＬＣ（軽量気泡コンクリート）薄型パネルを、木造の建物駆体に取り付けるための取付金具を提供する。【解決手段】取付金具は、駆体に固定される基部と、この基部から室外方向に延出して相隣接するパネルの小口面間に介在される腕部と、その腕部がさらに延出して一方のパネル小口部に係合する第一係合片および他方のパネルの小口部に係合する第二係合片とからなり、前記第一係合片と第二係合片との間に嵌入部材を挿入する挿嵌部を設けられている取付金具とした。【選択図】図１
2005023668.tif 000002
【特許請求の範囲】
【請求項１】
上下または左右方向に連設されるＡＬＣ薄形パネルをパネル小口部で木造駆体に取り付ける取付金具であって、
該取付金具は、駆体に固定される基部と、この基部から室外方向に延出して相隣接するパネルの小口面間に介在される腕部と、その腕部がさらに延出して一方のパネル小口部に係合する第一係合片および他方のパネルの小口部に係合する第二係合片とからなり、
前記第一係合片と第二係合片とを互いに離反させて、それらの係合片がパネル小口部を押圧して強固に係合させるために、嵌入部材を挿入する挿嵌部が前記第一係合片と第二係合片との間に設けられていることを特徴とするＡＬＣ薄形パネルの取付金具。
【請求項２】
前記挿嵌部は、腕部および基部を貫通する貫通孔である請求項１記載のＡＬＣ薄形パネルの取付金具。
【請求項３】
前記第一係合片または第二係合片は、爪部を有している請求項１または２記載のＡＬＣ薄形パネルの取付金具。
【発明の詳細な説明】
【０００１】
【発明の属する技術分野】
この発明は、外壁としてＡＬＣ（軽量気泡コンクリート）薄形パネルを木造の建物駆体に取り付けるための取付金具に関する。
【０００２】
【従来の技術】
ＡＬＣ薄形パネル（以下、パネルという。）を外壁として木造の建物躯体に取付ける取付金具として、図４に示す取付金具３１が知られている。（特許文献１参照。）
この取付金具３１は、図４または図５に示すように、建物駆体に取付固定される基部３２と、その中央部近辺からパネルの小口面に沿って伸び出る腕部３３と、さらに、それが分かれて延出されて上下パネル小口面のスリット溝８内に係合する係合片３４、３５とから構成されており、その係合片３４、３５の先端にはパネルのスリット溝８に打ち込まれる尖頭部３４ａ、３５ａが設けられている。
【０００３】
そして、図５に示すように、この取付金具３１を介してパネル２０が建物駆体３０に固定されている。
すなわち、透孔３２ａを挿通させたネジ９により基部３２が建物駆体３０に固定され、上下に相隣接するパネル２０の小口面間に腕部３３が介在されている。そして、上下パネル２０の小口面に設けられたスリット溝８に、それぞれの係合片３４、３５が嵌め込まれて係合しているとともに、その先端の尖頭部３４ａ、３４ｂが打ち込まれている。
【０００４】
【特許文献１】
特開平２０００−３４７９５号公報
【０００５】
【発明が解決しようとする課題】
しかし、この取付金具３１によりパネル２０が建物駆体３０に取り付けられた場合には、以下の問題点があった。
取付金具３１の尖頭部３４ａ、３５ａは、図５に示すように、スリット溝８内へ打ち込まれる。そのため、取付施工直後においては係合片３４、３５はパネル２０に十分に係合されている。
しかし、その後、地震あるいは風圧等によりパネルの面外方向から荷重がパネル２０に加わると、パネル内で尖頭部３４ａ、３５ａが遊動してその周囲に隙間が生ずる。そして、この隙間が一旦形成されてしまうとパネルが建物駆体に対して常にガタつくようになり、さらに、ＡＬＣは脆弱であるために隙間がどんどんと広がってガタつきがより大きくなっていく。
そして、このようにパネルがガタついて取付金具に支持されている状態で、取付金具の一部分とパネル小口部の一部分とが当接を繰り返すとともに、その取付荷重が小口の一部分に集中してかかることにより、パネルが係合されている小口部の周辺にひび割れまたは亀裂が発生していた。
【０００６】
また、建物駆体施工時の寸法誤差等により柱や間柱が同一面状に設置されておらず前後方向に出入りが生じている場合は、スリット溝８に複数の取付金具３１が係合されてパネル２０が取り付けられるため、パネル小口部２０ａにひずみ応力がかかった状態で取付固定されることとなり、前記の隙間、ひび割れあるいは亀裂の発生を助長していた。
パネル搬送中にスリット溝８の一部が欠けてしまうとパネル取付施工ができなくなる問題もあった。
そこで、本発明の目的は上記問題点を解決して、パネル取付施工後であっても、取付強度を長期間にわたって維持できるＡＬＣ薄形パネルの取付金具を提供する。
【０００７】
【課題を解決するための手段】
本発明は、前記課題を解決するために、
上下または左右方向に連設されるＡＬＣ薄形パネルをパネル小口部で木造駆体に取り付ける取付金具であって、
該取付金具は、駆体に固定される基部と、この基部から室外方向に延出して相隣接するパネルの小口面間に介在される腕部と、その腕部がさらに延出して一方のパネル小口部に係合する第一係合片および他方のパネルの小口部に係合する第二係合片とからなり、
前記第一係合片と第二係合片とを互いに離反させて、それらの係合片がパネル小口部を押圧して強固に係合させるために、嵌入部材を挿入する挿嵌部が前記第一係合片と第二係合片との間に設けられているＡＬＣ薄形パネルの取付金具を採用した。
また、上記金具において、挿嵌部が、腕部および基部を貫通する貫通孔であること、また、その第一係合片または第二係合片が爪部を有していることをより好ましい条件とした。
なお、本発明におけるＡＬＣ薄形パネルとは、厚さが３０ｍｍ〜８０ｍｍの範囲のパネルをいう。
【０００８】
【発明の実施の形態】
以下、本発明の実施形態を図１〜図３に基づいて説明する。なお、符号は従来例と同一のものはその符号を付した。
図１は取付金具１の第一実施形態を示す斜視図である。図２はその取付金具１によりパネルが建物駆体３０に固定されている状態を示す説明図。図３は取付金具１の他の実施形態を示す斜視図である。
なお、本実施形態では、パネル２０の長手方向を水平配置させて、その水平方向のパネル小口部２０ａを取付金具１で柱３０または間柱に固定する横壁取付について説明する。
【０００９】
図１の取付金具１は、その断面が略逆Ｔ字型形状をしており、上下または左右方向に連設するＡＬＣ薄形パネルを、その相隣接するパネル目地１０において、そのパネル小口部２０ａを木造駆体３０に固定する取付金具１である。
この取付金具１は、木造の建物駆体３０に固定される基部２と、相隣接するパネル２０の小口面間に介在される腕部３と、そのパネル２０の小口部２０ａに係合される第一係合片４および第二係合片５とから構成されている。
また、第一係合片４と第二係合片５とを互いに離反させるために、嵌入部材７を挿入する挿嵌部６が第一係合片と第二係合片との間に設けられている。
【００１０】
さらに詳しくは、図１または図２に示すように、基部２にはネジ９を挿通させて建物駆体３０（柱、間柱）に取付金具１を固定する取付孔２ａが設けられており、その基部２の中央部から室外方向に伸びた腕部３が相隣接するパネル２０の小口面間に介在される。
また、その腕部３がさらに伸びて一方のパネル（図２中の上段パネル２０）の小口部２０ａに係合する第一係合片４と、他方のパネル（図２中の下段パネル２０）の小口部２０ａに係合する第二係合片５とが形成されている。
そして、第一係合片４および第二係合片５は、腕部３から延出されているとともに各パネルの小口部２０ａの内部に向かってＬ字状に折曲されており、パネル小口部２０ａに十分に係合する形状となっている。
さらに、第一係合片４および第二係合片５は、挿嵌部６に挿入された嵌入部材７により、その間が押し広げられて互いに離反させられ、係合片４、５が上下のパネル小口部２０ａを常に押圧力Ｆで押圧している状態となっている。
【００１１】
このように、第一係合片４および第二係合片５により上下パネルの小口部２０ａが常に押圧されて係合しているため、地震あるいは風圧等によりパネル面外方向からの荷重がパネル２０に頻繁に加わっても、パネル内で各係合片４、５が遊動することがなくなり、その周囲に隙間が生じなくなる。
これにより、従来と違って、取付施工後に発生していたパネルのガタつきがなくなるため、パネルのひび割れや亀裂の発生がなくなる。
【００１２】
挿嵌部６としては、図１に示すように、第一係合片４と第二係合片５との間に溝状の隙間６ａを設け、また、嵌入部材７としては断面クサビ型の板状体（図示せず）が考えられる。
取付金具１の板厚は、０．４〜２．０ｍｍが施工上および取付金具の製造上好ましい。より好ましくは０．８〜１．６ｍｍである。
溝状の隙間６ａは、係合片４、５の離反前において０〜３ｍｍ、離反後において２〜８ｍｍ、そして、その押し広げられるストローク寸法を２〜５ｍｍとすることが望ましい。
【００１３】
また、図２に示すように、嵌入部材７としてさら頭ネジ等（座面がすい形状のネジ）を、腕部３および基部２を貫通する貫通孔６ｂに挿通して建物駆体３０にねじ込むことにより、第１係合片４と第２係合片５との間を押し広げて互いに離反させることができる。
そして、さら頭ネジ７が最後までねじ込まれた状態において、平らなネジ頭が係合片４、５の表面と同じ面位置となるため、ネジ７の頭とパネルとが干渉することが無くなる。
さらに、第１係合片４または第２係合片５が爪部４ａ、５ａを有していると、それら係合片４、５をパネル小口部２０ａにより食い込ませて係合できるようになり好ましい。その際、それら係合片４、５の両端にそれぞれ２〜３個の爪部４ａ、５ａを設けることにより、支持する部位が均等に分散されてバランス良くパネルに係合されるようになり望ましい。
【００１４】
【実施例】
図１に示す取付金具１は、略Ｌ字状に折曲された一対（図１中の上側と下側）の板片を、腕部３において接合することにより形成される。
この板片は、１枚の鋼板がほぼ直角に折曲されて基部２の上側部分と腕部３とが形成され、さらに、腕部３の先端部を基部２と平行に折曲して（第１）係合片４が形成されることにより得られる。
係合片４の幅方向の両端部に各２個、および中央部には１個の三角形状の爪部４ａがそれぞれ設けられている。
また、中央部の爪部４ａと反対側に曲成された半円状の凹部４ｂが形成されているとともに、その凹部４ｂから基部２に向かって腕部３が切り開かれ（切開部３ｃ）、さらに先端の基部位置に半円状の孔（図示せず）が設けられている。
そして、上記２枚の板片の腕部３をその基部側寄りの溶接部３ａで接合することにより、第１、第２係合片および挿嵌部６（溝状の隙間６ａおよび貫通孔６ｂ）を有した取付金具１が得られる。
【００１５】
また、図１に示すように、基部２から第１係合片４に向かって腕部３の幅が拡張されていると、第１係合片４がパネルに係合できる幅が長くなり、また、複数個の爪４ａが設けられるようになるため望ましい。
さらに、溶接部３ａと係合片４との間に折曲溝３ｂが腕部３に設けられていると、嵌入部材７が挿嵌部６に挿入されたときに、係合片４、５が容易に押し広げられて離反し易くなる。
本実施例の取付金具１は、板厚１．２ｍｍの鋼板から、基部２（高さ３０ｍｍ、幅５０ｍｍ）、腕部３（上底８０ｍｍ、下底５０ｍｍ、高さ２５ｍｍの台形）、係合片４（幅８０ｍｍ、高さ５ｍｍ）、および爪部４ａ（一辺１０ｍｍの三角形）が形成されている。
【００１６】
次に、この取付金具１を用いて、厚さ３５ｍｍのパネル２０を建物駆体３０に取り付ける手順を示す。（図２および図３参照。）
まず、最下段のパネル下部を公知の方法で建物の基礎部に取付固定する。
【００１７】
１）パネル小口面と垂直にスリット溝８が形成されている場合（図３に示す。）、
下段パネル２０の上方小口部２０ａに設けられたスリット溝８に、取付金具１の第２係合片５ａを嵌め込んで係合させる。その後、基部２の取付孔２ａを挿通させたネジ９を、柱または間柱（建物駆体３０）にねじ込んで取付金具１を取付固定する。
また、第２係合片５に爪部５ａが設けられているときは、スリット溝８に嵌め込んだ後にハンマーなどで取付金具を叩くことにより爪部５ａをスリット溝８内に食い込ませておく。
次に、上段パネル２０をその下方小口部２０ａに設けられたスリット溝８に、取付金具１の第１係合片４ａを嵌め込んで係合させる。
第１係合片４に爪部４ａが設けられているときは、スリット溝８に嵌め込んだ後にハンマーなどで上段パネルを上方から叩くことにより、爪部４ａをスリット溝８内に食い込ませる。
【００１８】
そして、さら頭ネジ７を挿嵌部６に設けられた貫通孔６ｂに挿通させて、そのネジ先端を建物駆体３０に到達させて十分にねじ込む。このとき、さら頭ネジ７のすい形状の座面が挿嵌部６を押し広げる嵌入部材の作用を成すため、第１係合片４と第２係合片５とが互いに離反されて、それぞれのパネル小口部２０ａが押圧力Ｆにより常に押圧されて係合された状態となる。
また、スリット溝８の一部が欠けていても、パネル小口部２０ａが常に押圧された状態で係合されるため、パネル取付施工が可能となる。
同様の取付手順により、さらに上段にパネルを積み重ねて建物駆体３０へ固定していき壁面を完成する。
なお、横壁パネルは複数の柱または間柱に跨がるため、複数個の取付金具１により取り付けられる。
【００１９】
２）パネル小口面にスリット溝８が形成されていない場合（図２に示すように、パネル施工後にシーリング材が充填される目地１０（深さ７ｍｍ、幅７ｍｍ）が形成されている。）、
下段パネル２０の上方小口部２０ａに設けられた目地１０の底部２０ｂに、取付金具１の第２係合片５ａを嵌め込んで係合させる。その後、基部２の取付孔２ａを挿通させたネジ９を、柱または間柱（建物駆体３０）にねじ込んで取付金具１を取付固定する。
次に、上段パネル２０をその下方小口部２０ａに設けられた目地１０の底部２０ｂに、取付金具１の第１係合片４ａを嵌め込んで係合させる。
なお、第１係合片４または第２係合片５に爪部５ａが設けられているときは、前述と同様に爪部５ａを目地１０の底部２０ａからパネル内部に食い込ませておく。
【００２０】
そして、さら頭ネジ７を挿嵌部６に設けられた貫通孔６ｂに挿通させて、そのネジ先端を建物駆体３０に到達させて十分にねじ込む。これにより、前述と同様に、互いに離反された第１係合片４と第２係合片５とが上下段パネルの小口部２０ａにそれぞれ押圧力Ｆで押圧されて係合された状態となる。
【００２１】
次に、図２図に示すように、パネル小口面にスリット溝８が形成されていないパネルを用いて、パネル面外方向の荷重に対する取付耐力の評価試験をした。
パネル２０（長さ１８２０ｍｍ、幅６００ｍｍ、厚み３５ｍｍ）の長さ方向の両端がかかる位置に柱（長さ１０５ｍｍ角）を配設し、さらに、その柱間に間柱（幅３７ｍｍ、厚さ１０５ｍｍ）を均等に３本配置して、前述２）のパネル取付手順により横壁の試験体を製作した。
試験体はパネル２０を４段横積みにして、それぞれのパネルの上下小口部２０ａを柱および間柱に取り付けて固定した。
すなわち、パネル１枚当たり１０個の取付金具１を使用して、上下小口部２０ａが建物駆体に固定した。
そして、目地１０（幅７ｍｍ）にシーリング材（図示せず）を充填した。
【００２２】
この試験体に室内側から室外側方向の加重を加えて、取付金具１のパネル周辺にひび割れまたは亀裂が発生するときの最大荷重を測定した。
その結果、本発明の取付金具１を使用した試験体では、従来のパネル小口部が押圧されていない取付金具に比べて、約３倍の最大荷重までひび割れまたは亀裂の発生が見られなかった。
【００２３】
【発明の効果】
本発明によれば、パネル取付施工後に地震あるいは風圧等によりパネルの面外方向から荷重が加わっても、常にパネルが確実に取付固定されており、パネルが建物駆体に対してガタつくことがない。
これにより、パネルの取付強度を長期に渡り維持することが可能となった。
さらに、パネルの長手方向を垂直配置させた縦壁取付であっても、本発明の取付金具を縦目地部に配設してパネル長手（縦）方向の小口部を押圧させることにより、前記同様の効果を発揮することができる。
【図面の簡単な説明】
【図１】本発明の一実施形態を示す斜視図。
【図２】建物駆体に固定された取付金具がパネルを固定している状態を示す説明図。
【図３】本発明の他の実施形態の取付金具がパネルを固定している状態を示す説明図。
【図４】従来における取付金具を示す斜視図。
【図５】従来における取付金具がパネルを固定している状態を示す説明図。
【符号の説明】
１  取付金具
２    基部
２ａ  取付孔
３    腕部
３ａ  溶接部
３ｂ  折曲溝
３ｃ  切開部
４    第一係合片
４ａ  爪部
４ｂ  凹部
５    第二係合片
５ａ  爪部
６    挿嵌部
６ａ  溝状の隙間
６ｂ  貫通孔
７    嵌入部材（さら頭ネジ）
８    スリット溝溝
９    ネジ
１０  目地
２０    ＡＬＣパネル
２０ａ  小口部
２０ｂ  底部
３０  建物駆体
３１  取付金具
３２  基部
３２ａ  透孔
３３  腕部
３４、３５  係合片
３４ａ、３５ａ  尖頭部
Ｆ    押圧力
【図１】
2005023668.tif 000003
【図２】
2005023668.tif 000004
【図３】
2005023668.tif 000005
【図４】
2005023668.tif 000006
【図５】
2005023668.tif 000007